(57)【特許請求の範囲】
【請求項１】
複数の鎖樋素体を上下方向に配設した鎖樋において、鎖樋素体を軸体に対して回転自在に取付け、鎖樋素体が、上下に開口した筒体と、筒体と別体の回転翼部とで構成され、回転翼部が、軸体を遊挿する孔を有する中心軸部と、該中心軸部の周部に突出する羽根部とで構成され、軸体が、上端部に繋ぎ部を有する上軸部と下端部に繋ぎ部を備えた下軸部とに上下に分割してあると共に、上軸部の下端部に連結部を、下軸部の上端部に被連結部をそれぞれ設け、筒体内に回転翼部を嵌め込むと共に係止手段により回転翼部を筒体に取付け、軸体の上軸部乃至下軸部の一方又は両方を回転翼部の中心軸部の孔に遊挿すると共に、連結部と被連結部とを連結し、上下の軸体同士を繋ぎ部で繋いで成ることを特徴とする鎖樋。
【請求項２】
回転翼部が水平方向に複数の横分割体に分割され、複数の横分割体が接合手段で連結してあることを特徴とする請求項１記載の鎖樋。
【請求項３】
回転翼部が上下方向に複数の縦分割体に分割され、複数の縦分割体が接合手段で連結してあることを特徴とする請求項１記載の鎖樋。
【発明の詳細な説明】
【技術分野】
【０００１】
本発明は、複数の鎖樋素体を上下方向に配設し、軒樋から排水される雨水を鎖樋素体を伝って流下させるようにした鎖樋に関するものである。
【背景技術】
【０００２】
従来から、軒樋から排水される雨水を鎖樋素体を伝って流下させるようにした鎖樋が知られている。
【０００３】
従来の鎖樋としては、例えば輪状をした鎖樋素体を鎖状に繋いだものがある。この鎖状をした鎖樋は、輪状をした鎖樋素体を輪同士が上下にクロスするように通して上下に繋ぐことで構成してある。
【０００４】
また、鎖樋素体として筒体の上下に逆Ｕ字状をした上繋ぎ部とＵ字状をした下繋ぎ部とを突出し、上下の鎖樋素体をＵ字状をした下繋ぎ部と逆Ｕ字状をした上繋ぎ部とをクロスするように通して上下に繋ぐことで鎖樋を構成したものが特許文献１等により知られている。
【０００５】
一般の縦樋は、筒状をしていて雨水が流下するのが見えないようにしているが、上記した鎖樋は、軒樋から排水される雨水を鎖樋素体を伝って流下する様子を見せることで、筒状の縦樋にはない趣のあるものとすることができるという特徴を有している。
【０００６】
しかしながら、上記いずれの従来例の鎖樋も、雨水が単純に鎖樋素体を伝って流下する様子を見せるだけの機能しかなかった。このため、鎖樋としての「見せるという機能（鎖樋素体を伝って流下する様子を見せるという機能）」がマンネリ化しており、商品価値の高い鎖樋を提供できないのが現状であり、鎖樋のもつ「見せるという機能」を更に発展させる商品を開発することが強く望まれている。
【特許文献１】実開平５−７８２５号公報
【発明の開示】
【発明が解決しようとする課題】
【０００７】
本発明は上記の従来の問題点に鑑みて発明したものであって、鎖樋素体を雨水の流水力により回転させる機能を備えることで、従来の鎖樋にはない新しい「見せる機能」を備え、しかも、鎖樋素体が回転機能を備えるため複雑な形状となるにもかかわらず、簡単に鎖樋素体を軸体に対して回転自在となるように形成できる鎖樋を提供することを課題とするものである。
【課題を解決するための手段】
【０００８】
本発明は、複数の鎖樋素体１を上下方向に配設した鎖樋２である。そして、本発明は、鎖樋素体１を軸体３に対して回転自在に取付け、鎖樋素体１が、上下に開口した筒体４と、筒体４とは別体の回転翼部５とで構成され、回転翼部５が、軸体３を遊挿する孔１８を有する中心軸部１２と、該中心軸部１２の周部に突出する羽根部１３とで構成され、軸体３が、上端部に繋ぎ部１０を有する上軸部１４と下端部に繋ぎ部１０を有する下軸部１５とに上下に分割してあると共に、上軸部１４の下端部に連結部１６を、下軸部１５の上端部に被連結部１７をそれぞれ設け、筒体４内に回転翼部５を嵌め込むと共に係止手段１１により回転翼部５を筒体４に取付け、軸体３の上軸部１４乃至下軸部１５の一方又は両方を回転翼部５の中心軸部１２の孔１８に遊挿すると共に、連結部１６と被連結部１７とを連結し、上下の軸体３同士を繋ぎ部１０で繋いで成ることを特徴とするものである。
【０００９】
このような構成とすることで、上の鎖樋素体１の筒体４の下開口８から流下した雨水が、下の鎖樋素体１の筒体４の上開口６から筒体４内に流入して筒体４内に設けた回転翼部５で受けて鎖樋素体１を回転させることができ、このように雨水の流水力により鎖樋素体１が回転することで、従来の鎖樋２では発揮できなかった新しい見せる機能を備えた鎖樋２を提供できる。しかも、鎖樋素体１を回転させるに当って、鎖樋素体１に作用する雨水の流水力を利用して回転させるものであるから鎖樋２の構成が簡略化できる。更に、筒体４内に別体の回転翼部５を嵌め込むと共に係止手段１１により取付けるので、回転機能を備えるため複雑な形状（筒体４内に、孔１８を有する中心軸部１２の周部に羽根部１３を突設して構成した回転翼部５を設けるという複雑な形状）となった鎖樋素体１を簡単に組み立て形成できるものである。また、軸体３の上端部と下端部とにそれぞれ軸体３同士を連結するための繋ぎ部１０を設けているにもかかわらず、軸体３を上軸部１４と下軸部１５とに分割して上軸部１４乃至下軸部１５の一方又は両方を回転翼部５の中心軸部１２の孔１８に遊挿すると共に、連結部１６と被連結部１７とを連結することで、簡単な構成で、回転翼部５の孔１８に軸体３を回転自在に挿入することができる。
【００１０】
また、回転翼部５が水平方向に複数の横分割体５ａに分割され、複数の横分割体５ａが接合手段２０で連結してあることが好ましい。
【００１１】
このような構成とすることで、水平方向に複数に分割した横分割体５ａを接合手段２０で接合することで簡単に複雑な形状の回転翼部５を形成することができる。
【００１２】
また、回転翼部５が上下方向に複数の縦分割体５ｂに分割され、複数の縦分割体５ｂが接合手段２１で連結してあることが好ましい。
【００１３】
このような構成とすることで、上下方向に複数に分割した縦分割体５ｂを接合手段２１で接合することで簡単に複雑な形状の回転翼部５を形成することができる。
【発明の効果】
【００１６】
本発明は、上記のように鎖樋素体を軸体に対して回転自在に取付け、上下に開口した筒体内に雨水の流水力を受けて該筒体を回転させるための回転翼部を設けて鎖樋素体を構成しているので、雨水の流水力により鎖樋素体が回転する様子を見せるという機能を備えていることになり、簡単な構成で従来の鎖樋にはないまったく新しい「見せる機能」を備えた商品価値の高い鎖樋を提供できる。また、軸体を遊挿する孔を有する中心軸部と、該中心軸部の周部に突出する羽根部とで構成した別体の回転翼部を、筒体内に嵌め込んで係止手段により取付けるものであるから、鎖樋素体が回転機能を備えるため複雑な形状であるにもかかわらず、簡単に鎖樋素体を軸体に対して回転自在となるように形成できる。
【発明を実施するための最良の形態】
【００１７】
以下、本発明を添付図面に示す実施形態に基いて説明する。
【００１８】
本発明の鎖樋２は複数の鎖樋素体１を上下方向に隙間９を介して配設したものであり、上端を軒樋に接続して軒樋から流下する雨水を鎖樋素体１を伝って次々と流下させるようにするためのものである。
【００１９】
本発明においては、鎖樋２を構成する全部の鎖樋素体１又は一部の鎖樋素体１が軸体３に対して回転自在となっている。
【００２０】
図１乃至図３には本発明の一実施形態が示してあり、本実施形態においては、上下に開口した筒体４内に雨水の流水力を受けて該筒体４を回転させるための回転翼部５を設けて鎖樋素体１を構成し、該鎖樋素体１に軸体３が回転自在に取付けてあり、軸体３に繋ぎ部１０を設け、上下の鎖樋素体１を繋ぎ部１０で繋ぐことで、上下方向に複数の鎖樋素体１を配設した鎖樋２を構成した例が示してある。
【００２１】
実施形態では、上下が開口した横断面角形状又は円形状をした筒体４内に筒体４とは別体の回転翼部５を取付けて鎖樋素体１を構成した例が示してある。このように、別体の筒体４と回転翼部５とを組み立てて鎖樋素体１を構成することで、回転翼部５が下記のように複雑な形状であっても筒体４、回転翼部５をそれぞれ合成樹脂により別々に簡単に成形することができる。
【００２２】
筒体４は下開口８が上開口６よりも小さいもので、筒体４の横断面形状が上から下に行くほど次第に小さくなるように形成してある。筒体４の壁部の内面には上開口６の開口縁よりも一定寸法下方に引き込んだ位置に突起よりなる係止手段１１が突設してある。
【００２３】
回転翼部５は中心軸部１２の周部に１乃至複数の羽根部１３を突設して構成してあり、羽根部１３は中心軸部１２を中心に螺旋状となるようにねじってある。また各羽根部１３の突出側端は筒体４の壁部の内面に沿うように壁部の内面の傾斜と同じ傾斜となっている。また、中心軸部１２には上下に貫通する孔１８が設けてある。
【００２４】
回転翼部５を筒体４の上開口６から嵌め込んで複数の羽根部１３の突出側端を筒体４の壁部の内面に当接すると共に各羽根部１３の上端を係止手段１１に係止することで回転翼部５を筒体４内に内装するものであり、この状態で、回転翼部５の上端の位置が筒体４の上端よりも一定寸法（図１において寸法Ｌで示す）下方に引き込んだ位置となり、中心軸部１２は筒体４の中心軸と同軸となる。
【００２５】
軸体３は上軸部１４と下軸部１５とに上下に分割してあり、上軸部１４の上端部及び下軸部１５の下端部にそれぞれ繋ぎ部１０が設けてある。また、上軸部１４の下端部には連結部１６が設けてあり、下軸部１５の上端部には被連結部１７が設けてある。
【００２６】
上軸部１４乃至下軸部１５の一方又は両方を鎖樋素体１の中心軸部１２の孔１８に遊挿すると共に、連結部１６と被連結部１７とを連結するものであり、これにより上軸部１４と下軸部１５とで構成する軸体３に対して鎖樋素体１を回転自在とするものである。下軸部１５には中心軸部１２の下端部が落下することを防ぐための落下防止部１９が設けてある。
【００２７】
上記のように軸体３に回転自在となった複数の鎖樋素体１を、繋ぎ部１０で上下に繋ぐことで鎖樋２を形成するものである。
【００２８】
筒状をした鎖樋素体１の上開口６から鎖樋素体１内に雨水が流入すると、雨水は中心軸部１２周りに形成した螺旋状をした回転翼部５の傾斜面に当って回転翼部５上を螺旋流となって流下するものであるが、この際、上開口６から回転翼部５の傾斜面に図２の矢印イのように当ることで回転翼部５が軸体３を中心に回転する力が作用し、また、螺旋状となった回転翼部５に沿って雨水が螺旋流となって鎖樋素体１内を流れることで、鎖樋素体１を更に回転する力が作用し、これにより鎖樋素体１が軸体３を中心に図２の矢印ロのように回転する。
【００２９】
このように鎖樋素体１を回転させながら自身も螺旋流となった雨水は筒体４の下開口８から下方に螺旋流となって流下し、隙間９を介して下に位置する別の鎖樋素体１の上開口６内に流下する。
【００３０】
下に位置する別の鎖樋素体１の上開口６から流下した雨水は上記と同様に螺旋状をした回転翼部５の傾斜面に当って回転翼部５上を螺旋流となって流下するものであり、これにより上記と同様にして下の鎖樋素体１が軸体３を中心に回転する。
【００３１】
同様にして次々と、下の鎖樋素体１が軸体３を中心にして回転することで、全ての鎖樋素体１を回転することができる。
【００３２】
この実施形態においては、上記のように雨水が流れると、雨水の流水力により鎖樋素体１が回転する様子が見え、また、上下の鎖樋素体１間の隙間９においては雨水が螺旋流となって流れる様子が見える。これにより、従来の鎖樋素体１が回転せず、また、鎖樋素体１間の隙間９においては雨水が真っ直ぐ流れる様子しか見えないものに比べて、従来の鎖樋２では現出できなかった、雨水の動き、鎖樋素体１の動きを現出できることになる。
【００３３】
鎖樋素体１を筒体４とこれとは別体の回転翼部５を組み合わせて形成しているので、外部に露出して見える筒体４として、色の異なるものを複数種類用意すると、異なる色の筒体４内にそれぞれ回転翼部５を嵌め込んで取付けることができ、外観の色の異なる複数種類の鎖樋素体１を形成するのに回転翼部５として１種類用意するのみでよい。
【００３４】
更に、回転翼部５として後述の羽根部１３の形状や傾斜角度の異なるものを複数種類用意すると、雨水の流下力による回転方向や回転速度の異なる鎖樋素体１を簡単に組み立て形成することができる。
【００３５】
図４には本発明の他の実施形態が示してある。既に述べたように回転翼部５は孔１８を設けた中心軸部１２の周部に１乃至複数の羽根部１３を突設すると共に羽根部１３が中心軸部１２を中心に螺旋状となるようにねじってあるという複雑な形状をしているので、回転翼部５と筒体４とをそれぞれ合成樹脂で別々に形成し、筒体４内に別体の回転翼部５を嵌め込んで係止手段１１で係止することで取付けているが、複雑な形状をしている回転翼部５を更に水平方向に複数（２又は３個以上）の横分割体５ａに分割することで、より簡単な構成の金型で成形できるようにしており、この結果、回転翼部５の形状をより複雑にでき、特に螺旋状にひねった羽根部１３の形状を水平方向において複雑な三次元形状とすることができる。
【００３６】
上記のように分割形成した複数の横分割体５ａにはそれぞれ羽根部１３が設けてあると共に、対向面（分割面）に円弧状をした縦溝２２と、接合手段２０を構成する凸嵌め込み部２３、凹嵌め込み部２４が設けてある。
【００３７】
そして、複数の横分割体５ａを対向面で合わせて凸嵌め込み部２３と凹嵌め込み部２４とを嵌合して回転翼部５を組み立て形成すると共に、複数の円弧状をした縦溝２２が合わさって孔１８が形成される。
【００３８】
このようにして組み立て形成した回転翼部５を、前述の実施形態と同様に、筒体４の上開口６から嵌め込んで複数の羽根部１３の突出側端を筒体４の壁部の内面に当接すると共に各羽根部１３の上端を係止手段１１に係止することで回転翼部５を筒体４内に内装する。
【００３９】
図５には本発明の更に他の実施形態が示してある。本実施形態においては、複雑な形状をしている回転翼部５を上下方向に複数（２又は３個以上）の縦分割体５ｂに分割することで、より簡単な構成の金型で成形できるようにしており、この結果、回転翼部５の形状をより複雑にでき、特に螺旋状にひねった羽根部１３の形状を上下方向において複雑な三次元形状とすることができる。
【００４０】
上記のように分割形成した複数の縦分割体５ｂにはそれぞれ羽根部１３が設けてあると共に、対向面（分割面）に接合手段２１を構成する凸嵌め込み部２５、凹嵌め込み部（図示せず）が設けてある。
【００４１】
そして、複数の縦分割体５ｂを対向面で合わせて凸嵌め込み部２５と凹嵌め込み部とを嵌合して回転翼部５を組み立て形成すると共に、複数の縦分割体５ｂの孔１８同士を上下方向に連通させる。
【００４２】
このようにして組み立て形成した回転翼部５を、前述の実施形態と同様に、筒体４の上開口６から嵌め込んで複数の羽根部１３の突出側端を筒体４の壁部の内面に当接すると共に各羽根部１３の上端を係止手段１１に係止することで回転翼部５を筒体４内に内装する。
【００４３】
図１、図２に示す前述の実施形態においては、上下方向に配置した複数の鎖樋素体１の回転翼部５における螺旋の巻き方向を同じ方向とした例を示しており、この例の場合は、雨水の流下力により複数の鎖樋素体１を同一方向に回転させながら排水する鎖樋２であるが、複数の鎖樋素体１のうち回転翼部５における螺旋の巻き方向が一方向となったものと、逆方向となったものを混在させることで、雨水の流下力により一方向に回転する鎖樋素体１と、反対方向に回転する鎖樋素体１とが混在した鎖樋２を構成するようにしてもよく、この実施形態においては、よりいっそう従来の鎖樋２では現出できなかった雨水の動き、鎖樋素体１の動きを現出できることになる。本実施形態においては、筒体４を一種類、羽根部１３の螺旋の巻き方向の異なる回転翼部５を２種類用意することで、雨水の流下力で回転する鎖樋素体１として回転方向の異なるものを簡単に組み立て形成できる。
【００４４】
また、上記いずれの実施形態の場合も、回転翼部５の傾斜角度が異なる鎖樋素体１を複数用いて鎖樋２を構成してもよく、この場合は、回転速度の速い鎖樋素体１と遅い鎖樋素体１とが混在することになり、よりいっそう従来の鎖樋２では現出できなかった、雨水の動き、鎖樋素体１の動きを現出できることになる。この実施形態においても、筒体４を一種類、羽根部１３の傾斜角度が異なる回転翼部５を複数種類用意することで、雨水の流下力で回転する鎖樋素体１として回転速度の異なるものを簡単に組み立て形成できる。
【図面の簡単な説明】
【００４５】
【図１】本発明の一実施形態の鎖樋の断面図である。
【図２】同上の正面図である。
【図３】同上に用いる鎖樋素体を示し、（ａ）は斜視図であり、（ｂ）は分解斜視図である。
【図４】本発明の他の実施形態に用いる鎖樋素体を示し、（ａ）は斜視図であり、（ｂ）は分解斜視図である。
【図５】本発明の更に他の実施形態に用いる鎖樋素体を示し、（ａ）は斜視図であり、（ｂ）は分解斜視図である。
【符号の説明】
【００４６】
１  鎖樋素体
２  鎖樋
３  軸体
４  筒体
５  回転翼部
【図１】
0004492730.tif 000002
【図２】
0004492730.tif 000003
【図３】
0004492730.tif 000004
【図４】
0004492730.tif 000005
【図５】
0004492730.tif 000006